(57)【要約】【課題】  平坦な帯状シートで便座表面を周方向に覆うことができるようにする。【解決手段】  便座形状を複数分割してなる便座ブロック１０，１１，１２，１３，１４，１５を周方向に配列し、隣接するもの同士間の隙間１６ａ，１６ｂ，１６ｃ，１６ｄ，１６ｅの裏面側近傍位置に、シート送り方向変更装置１７を設ける。各便座ブロック１０，１１，１２，１３，１４，１５の表面側に配置される平坦な帯状シート１８を、各隙間１６ａ，１６ｂ，１６ｃ，１６ｄ，１６ｅを通してシート送り方向変更装置１７に掛け回すことで、帯状シート１８の便座中央側の端縁部が、便座外周寄りの端縁部よりも長い経路を経るようにさせることで、各便座ブロック１０，１１，１２，１３，１４，１５の表面側に配置する帯状シート１８を、各隙間１６ａ，１６ｂ，１６ｃ，１６ｄ，１６ｅの位置で便座中央寄りに順次屈曲させて周方向の全周に亘り配置させる。【選択図】図１
2010000223.tif 000002
【特許請求の範囲】
【請求項１】
環状の便座形状を周方向に複数分割してなる形状の便座ブロックを、所要の隙間を隔てた状態で周方向に配列し、隣接する便座ブロック同士を連結部材で連結して一体にすると共に、各便座ブロックの裏面側に、上記各便座ブロックの表面側に沿って配置する一連の帯状シートを上記各隙間を通して便座ブロック裏面側で方向変更させるシート送り方向変更装置を設けてなる環状の便座本体を備え、更に、上記各便座ブロックが配列された周方向の所要個所に、上記帯状シートを供給するシート供給部と、該シート供給部より供給されて上記各便座ブロックの表面側を覆うよう配置された帯状シートを回収するためのシート回収部を備えてなる構成を有することを特徴とする便座装置。
【請求項２】
シート回収部に駆動モータを備えて、シート供給部より供給されて便座本体の各便座ブロックの表面側を覆うように配置された帯状シートを駆動モータによりシート回収部へ回収できるようにし、且つ上記帯状シートの長手方向所要個所に、上記便座本体のすべての便座ブロックの表面側を覆うのに必要とされる長さに対応した間隔でセンサ検出用マークを設けると共に、シート供給部又はシート回収部の所要個所に、上記センサ検出用マークを検出するためのセンサを備えて、上記駆動モータの運転開始後、上記センサにより上記帯状シート上のセンサ検出用マークを検出すると上記駆動モータの運転を停止させる制御系を備えるようにした請求項１記載の便座装置。
【請求項３】
便ふたの閉止操作に伴い駆動モータの運転を開始させる蓋スイッチを設けるようにした請求項２記載の便座装置。
【請求項４】
シート送り方向変更装置を、隣接する各便座ブロック間の隙間より便座ブロックの裏面側に引き出された帯状シートを掛け回して、該帯状シートの便座中央寄りの端縁部側が、便座外周寄りの端縁部側に比して長い経路を経て移動させられるようにした請求項１、２又は３記載の便座装置。
【請求項５】
シート送り方向変更装置を、ガイドローラ又はガイドバーとし、該ガイドローラ又はガイドバーの軸心方向一端部を便座ブロック間の隙間の便座外周寄り端部に近接させ、且つガイドローラ又はガイドバーの軸心方向他端部を上記隙間の便座中央寄りの端部より所要寸法離反させた配置で設けてなる構成とした請求項４記載の便座装置。
【請求項６】
シート送り方向変更装置を、円錐状バーとし、該円錐状バーの細径側となる軸心方向一端部を便座ブロック間の隙間の便座外周寄り端部に近接させ、且つ太径側となる軸心方向他端部を上記隙間の便座中央寄りの端部に近接させた配置で設けてなる構成とした請求項４記載の便座装置。
【請求項７】
シート送り方向変更装置を、二等辺三角形状のプレート部材とし、該プレート部材における二等辺三角形状の頂角部分を便座ブロック間の隙間の便座外周寄り端部に近接させ、且つ底辺部分を上記隙間の便座中央寄りの端部に近接させた配置で設けてなる構成とした請求項４記載の便座装置。
【発明の詳細な説明】
【技術分野】
【０００１】
本発明は、洋式便器の便座装置に関するもので、特に、使用者の臀部が便座に直接接触するのを防止するために便座の表面側を衛生用のシートで覆う機能を備えた便座装置に関するものである。
【背景技術】
【０００２】
洋式便器では、使用者が腰掛けて使用するための便座を備えているが、不特定多数の使用者が使用する洋式便器では、前の使用者による便座の汚染や汚れが分からない。
【０００３】
そのために、使用者が便座に腰掛ける際に、該使用者の臀部が便座に直接接触するのを防止するための衛生用のシートを、便座の表面側を覆うように配置すると共に、便座の使用時ごとに上記シートを取り替えることで、便座を衛生的に使用できるようにすることが行われてきている。
【０００４】
この種の便座を覆うための衛生用のシートとしては、今日では、水に溶解できる紙等により便座の平面形状よりもやや大きな外形、たとえば、楕円形を有するシート材に、便座の内側開口部に対応する開口（穴）を設けてなる形式のものが一般的になってきている。
【０００５】
しかし、上記形式のシートは、個々の使用者が、便座に腰掛ける前に該シートの向きや、開口の位置を確認しながら便座の表面全体を覆うように手作業で配置しなければならず、しかも、便座全体を覆うようにシートを配置した後、使用者が便座に腰掛けるときに、上記便座の表面に配置したシートの位置が容易にずれる虞もある。
【０００６】
又、近年では、図１６に示す如き便座用シート巻取器も提案されている。これは、便座１をＵ字形とすると共に、該Ｕ字形の便座１の一方の端部１ａのみを便器（洋式便器）２側に図示しない支持軸を介して開閉可能に片持ち支持させた構成としてある。
【０００７】
更に、上記便座１の後方に底板３を設け、該底板３上における上記便座１の自由端となる他方の端部１ｂ付近となる所要個所に、袋状（扁平筒状）の長尺のシート５を巻いたシート供給ロール５ａを着脱可能に設置してなるシート供給部４を設け、且つ上記底板３上における上記便座１の一方の端部付近の所要個所には、シート巻取ロール７を着脱可能に備えたシート回収部６を設けてなる構成としてある。これにより、上記シート供給部４のシート供給ロール７より巻き出す上記袋状の長尺のシート５を、上記片持ち構造としてある便座１の自由端となっている他方の端部１ｂよりかぶせ、上記Ｕ字形の便座１に沿わせて該便座１の一方の端部まで導いた後、便座１の一方の端部近傍に設けた左右一対のナイフ（図示せず）により上記袋状のシート５の左右両側部を切開させてから、該左右の両側部が切開された状態のシート５を、上記シート回収部６のシート巻取ロール７に巻き付けることができるようにした構成としてある。
【０００８】
上記図１６に示した構成としてある便座用シート巻取器によれば、上記便座１に、他方の端部より一方の端部までの全長に亘り上記袋状のシート５をかぶせることができるため、便座の表面を上記シート５で覆うことができ、又、便座１の使用時ごとに、上記シート回収部６におけるシート巻取ロール７を回転させて、該シート巻取ロール７に、上記シート５を、上記便座１のＵ字形状に沿う長さ寸法に対応した長さ分巻き取ることで、上記シート供給部４のシート供給ロール５ａより新たに巻き出した清浄なシート５を、上記便座１の表面に配置させることができるとされている（たとえば、特許文献１参照）。
【０００９】
したがって、上記便座用シート巻取器では、上記袋状のシート５を便座１の湾曲形状に容易に追従させて配置できて、該シート５の便座１に対する手作業による位置合わせ作業を省略できると共に、使用者が便座１に腰掛ける際における上記シート５の便座１からの位置ずれを防止することができると考えられる。
【００１０】
【特許文献１】特開２００４−４８０号公報
【発明の開示】
【発明が解決しようとする課題】
【００１１】
ところが、上記特許文献１に示されたものでは、便座１の全長に亘り袋状のシート５をかぶせるようにしてあるため、上記シート５には、使用者の臀部が便座に直接接触するのを防止する機能上必要となる便座１の表面を覆う部分のほかに、便座１の裏面側に配置される部分も必要となるため、該シート５に要する材料の量が、上記便座１の表面側のみを平坦なシートで覆う場合に比して約倍量に嵩むという問題がある。又、上記シートを袋状にするための加工が必要であり、よって、上記シート５に要するコストが嵩むと云う問題がある。
【００１２】
更に、上記特許文献１に示されたものでは、便座１を片持ち支持したＵ字形の便座としてあるため、使用者の臀部における背中側の部分が接触する個所には上記便座１の表面を覆うシート５を配置することができないという衛生面の問題もある。
【００１３】
そこで、本発明は、環形の便座本体を備え、且つ上記環形の便座の表面を、周方向の全周に亘り平坦な衛生用のシートで覆うことができて、該衛生用のシートに要する材料の量やコストを低減させることができ、更に、上記平坦な衛生用のシートを、上記便座の周方向に自動的に追従させて配置する際に、使用者の手作業による上記衛生用シートの位置合わせ作業を不要にすることができると共に、使用者が便座に腰掛ける際における上記シートの便座からの位置ずれを防止することもできる便座装置を提供しようとするものである。
【課題を解決するための手段】
【００１４】
本発明は、上記課題を解決するために、請求項１に対応して、環状の便座形状を周方向に複数分割してなる形状の便座ブロックを、所要の隙間を隔てた状態で周方向に配列し、隣接する便座ブロック同士を連結部材で連結して一体にすると共に、各便座ブロックの裏面側に、上記各便座ブロックの表面側に沿って配置する一連の帯状シートを上記各隙間を通して便座ブロック裏面側で方向変更させるシート送り方向変更装置を設けてなる環状の便座本体を備え、更に、上記各便座ブロックが配列された周方向の所要個所に、上記帯状シートを供給するシート供給部と、該シート供給部より供給されて上記各便座ブロックの表面側を覆うよう配置された帯状シートを回収するためのシート回収部を備えてなる構成とする。
【００１５】
又、上記構成において、シート回収部に駆動モータを備えて、シート供給部より供給されて便座本体の各便座ブロックの表面側を覆うように配置された帯状シートを駆動モータによりシート回収部へ回収できるようにし、且つ上記帯状シートの長手方向所要個所に、上記便座本体のすべての便座ブロックの表面側を覆うのに必要とされる長さに対応した間隔でセンサ検出用マークを設けると共に、シート供給部又はシート回収部の所要個所に、上記センサ検出用マークを検出するためのセンサを備えて、上記駆動モータの運転開始後、上記センサにより上記帯状シート上のセンサ検出用マークを検出すると上記駆動モータの運転を停止させる制御系を備えるようにした構成とする。
【００１６】
更に、上記構成において、便ふたの閉止操作に伴い駆動モータの運転を開始させる蓋スイッチを設けるようにした構成とする。
【００１７】
上述の各構成において、シート送り方向変更装置を、隣接する各便座ブロック間の隙間より便座ブロックの裏面側に引き出された帯状シートを掛け回して、該帯状シートの便座中央寄りの端縁部側が、便座外周寄りの端縁部側に比して長い経路を経て移動させられるようにした構成とする。
【００１８】
又、上記構成において、シート送り方向変更装置を、ガイドローラ又はガイドバーとし、該ガイドローラ又はガイドバーの軸心方向一端部を便座ブロック間の隙間の便座外周寄り端部に近接させ、且つガイドローラ又はガイドバーの軸心方向他端部を上記隙間の便座中央寄りの端部より所要寸法離反させた配置で設けてなる構成とする。
【００１９】
同様に、上記構成において、シート送り方向変更装置を、円錐状バーとし、該円錐状バーの細径側となる軸心方向一端部を便座ブロック間の隙間の便座外周寄り端部に近接させ、且つ太径側となる軸心方向他端部を上記隙間の便座中央寄りの端部に近接させた配置で設けてなる構成とする。
【００２０】
同様に、上記構成において、シート送り方向変更装置を、二等辺三角形状のプレート部材とし、該プレート部材における二等辺三角形状の頂角部分を便座ブロック間の隙間の便座外周寄り端部に近接させ、且つ底辺部分を上記隙間の便座中央寄りの端部に近接させた配置で設けてなる構成とする。
【発明の効果】
【００２１】
本発明の便座装置によれば、以下のような優れた効果を発揮する。 
（１）環状の便座形状を周方向に複数分割してなる形状の便座ブロックを、所要の隙間を隔てた状態で周方向に配列し、隣接する便座ブロック同士を連結部材で連結して一体にすると共に、各便座ブロックの裏面側に、上記各便座ブロックの表面側に沿って配置する一連の帯状シートを上記各隙間を通して便座ブロック裏面側で方向変更させるシート送り方向変更装置を設けてなる環状の便座本体を備え、更に、上記各便座ブロックが配列された周方向の所要個所に、上記帯状シートを供給するシート供給部と、該シート供給部より供給されて上記各便座ブロックの表面側を覆うよう配置された帯状シートを回収するためのシート回収部を備えてなる構成としてあるので、便座本体の各便座ブロックの表面側を、シート供給部より供給される帯状シートで覆うことができる。更に、便座本体を使用するごとにシート回収部にて、上記帯状シートを、便座本体の各便座ブロックの表面側を覆うのに必要な長さ分回収することで、シート供給部より供給される清浄な部分の帯状シートを上記各便座ブロックの表面側を覆うように配置させることができる。よって、便座本体の使用者は、前の使用者による汚染や汚れを気にすることなく、上記清浄な帯状シートによって表面側が覆われた便座本体に腰掛けて使用することができる。 
（２）又、上記便座本体の表面側を覆う帯状シートは、平坦なシートとすることができると共に、上記便座本体の表面側を周方向の全周に亘って覆うために必要な帯状シートの長さ寸法を、上記便座本体の外周に沿う長さ寸法よりもやや長い寸法に収めることができることから、上記帯状シートに要する材料の量を少なく抑えることができる。又、上記帯状シートを、製造の容易なものとすることができるため、該帯状シートを安価なものとすることができる。 
（３）シート回収部に駆動モータを備えて、シート供給部より供給されて便座本体の各便座ブロックの表面側を覆うように配置された帯状シートを駆動モータによりシート回収部へ回収できるようにし、且つ上記帯状シートの長手方向所要個所に、上記便座本体のすべての便座ブロックの表面側を覆うのに必要とされる長さに対応した間隔でセンサ検出用マークを設けると共に、シート供給部又はシート回収部の所要個所に、上記センサ検出用マークを検出するためのセンサを備えて、上記駆動モータの運転開始後、上記センサにより上記帯状シート上のセンサ検出用マークを検出すると上記駆動モータの運転を停止させる制御系を備えるようにした構成とすることにより、上記シート回収装置の運転を開始させることで、便座本体の各便座ブロックの表面側を覆うように配置されている帯状シートを、シート供給部より新たに供給される清浄な部分の帯状シートに自動的に取り替えることができる。 
（４）便ふたの閉止操作に伴い駆動モータの運転を開始させる蓋スイッチを設けるようにした構成とすることにより、使用者が便座本体の使用後に便ふたを閉めると、便座本体の各便座ブロックの表面側を覆うように配置されている帯状シートを、自動的に清浄な帯状シートに取り替えることができる。よって、次の使用者が便ふたを開けた時点で、表面側が全周に亘り清浄な帯状シートで覆われた状態の便座本体を使用に供することができる。（５）シート送り方向変更装置を、隣接する各便座ブロック間の隙間より便座ブロックの裏面側に引き出された帯状シートを掛け回して、該帯状シートの便座中央寄りの端縁部側が、便座外周寄りの端縁部側に比して長い経路を経て移動させられるようにした構成とすることにより、便座本体を形成している各便座ブロックの隣接するもの同士の隙間を通して便座ブロック裏面側に引き出した部分をシート送り方向変更装置に掛け回すことで、上記各隙間の部分で、上記各便座ブロックの表面側に配置されている帯状シートの配置される方向を、便座中央寄り側へ角度変更させることができる。よって、上記帯状シートを、上記便座本体の周方向に配列されている各便座ブロックの表面に沿う方向に自動的に追従させて配置することができることから、便座本体を使用する使用者ごとの手作業による上記帯状シートの位置合わせ作業を不要にすることができると共に、使用者が便座本体に腰掛ける際における上記帯状シートの位置ずれを防止することも可能となる。 
（６）シート送り方向変更装置を、ガイドローラ又はガイドバーとし、該ガイドローラ又はガイドバーの軸心方向一端部を便座ブロック間の隙間の便座外周寄り端部に近接させ、且つガイドローラ又はガイドバーの軸心方向他端部を上記隙間の便座中央寄りの端部より所要寸法離反させた配置で設けてなる構成、又は、シート送り方向変更装置を、円錐状バーとし、該円錐状バーの細径側となる軸心方向一端部を便座ブロック間の隙間の便座外周寄り端部に近接させ、且つ太径側となる軸心方向他端部を上記隙間の便座中央寄りの端部に近接させた配置で設けてなる構成、又は、シート送り方向変更装置を、二等辺三角形状のプレート部材とし、該プレート部材における二等辺三角形状の頂角部分を便座ブロック間の隙間の便座外周寄り端部に近接させ、且つ底辺部分を上記隙間の便座中央寄りの端部に近接させた配置で設けてなる構成とすることにより、上記（５）の構成を備えたシート送り方向変更装置を容易に実現することができる。
【発明を実施するための最良の形態】
【００２２】
以下、本発明を実施するための最良の形態を図面を参照して説明する。
【００２３】
図１乃至図１２（イ）（ロ）は本発明の便座装置の実施の一形態を示すもので、本発明の便座装置８は、便座本体９と、シート供給部２２、シート回収部２３とからなる。便座本体９は、以下のようにしてある。
【００２４】
すなわち、環状の便座形状を周方向に複数分割してなる形状の便座ブロックを形成する。たとえば、図３（イ）（ロ）に示すように、環状の便座形状を周方向に６分割して、該便座形状の後寄りに位置する後部便座ブロック１０から、図３（イ）における反時計周り方向に順に、右後部便座ブロック１１、右前部便座ブロック１２、前部便座ブロック１３、左前部便座ブロック１４、左後部便座ブロック１５が並ぶように形成する。且つ上記後部便座ブロック１０は、左右方向の一方の端部、たとえば、左端部が図３（イ）（ロ）に示すように上記環状の便座形状の左側の端部よりもやや突出する形状となるようにする。
【００２５】
上記各便座ブロック１０、１１、１２、１３、１４、１５は、それぞれ所要の隙間１６ａ，１６ｂ，１６ｃ，１６ｄ，１６ｅ，１６ｆを隔てて周方向に並べて配列し、且つ隣接する後部便座ブロック１０と右後部便座ブロック１１との間の隙間１６ａ、右後部便座ブロック１１と右前部便座ブロック１２との間の隙間１６ｂ、右前部便座ブロック１２と前部便座ブロック１３との間の隙間１６ｃ、前部便座ブロック１３と左前部便座ブロック１４との間の隙間１６ｄ、及び、左前部便座ブロック１４と左後部便座ブロック１５との間の隙間１６ｅの近傍位置となる便座ブロック裏面側に、便座ブロック１０，１１，１２，１３，１４の表面側から導かれた帯状シート１８を掛け回してから次の便座ブロック１１，１２，１３，１４，１５の表面側へ導くようにするためのシート送り方向変更装置１７をそれぞれ設ける。これにより、上記各隙間１６ａ，１６ｂ，１６ｃ，１６ｄ，１６ｅを挟んで隣接する各便座ブロック１０と１１，１１と１２，１２と１３，１３と１４，１４と１５のうち、該各隙間１６ａ，１６ｂ，１６ｃ，１６ｄ，１６ｅに対して平面視反時計回り方向の上流側にそれぞれ位置する便座ブロック１０，１１，１２，１３，１４の表面側に該各便座ブロック１０，１１，１２，１３，１４の延びる方向に沿わせて配置するための衛生用の平坦な帯状シート１８を、先ず、後部便座ブロック１０の表面側から上記隙間１６ａを通して右後部便座ブロック１１の裏面側でシート送り方向変更装置１７に掛け回してから再び上記隙間１６ａより上方へ取り出して次の右後部便座ブロック１１の表面に沿わせ、以後同様に隙間１６ｂ，１６ｃ，１６ｄ，１６ｅの部分で便座ブロック裏面側のそれぞれの上記シート送り方向変更装置１７に掛け回すことにより、帯状シート１８を、便座ブロック１２，１３，１４，１５の表面側に沿わせて配置できるようにする。
【００２６】
上記左後部便座ブロック１５と後部便座ブロック１０との間の隙間１６ｆの便座ブロック裏面側の近傍位置には、回収用シート方向変更装置１９を設けて、上記左後部便座ブロック１５の表面側に沿わせて配置する上記帯状シート１８の先端側部分を、上記隙間１６ｆを通して便座ブロック裏面側へ引き出すと共に、上記回収用シート方向変更装置１９に掛け回すことで、該帯状シート１８の向きを変更させて、上記後部便座ブロック１０の裏面側に沿わせて後述するシート回収部２３へ向けて送ることができるようにする。
【００２７】
更に、上記各隙間１６ａ，１６ｂ，１６ｃ，１６ｄ，１６ｅ，１６ｆを挟んで周方向に隣接する各便座ブロック１０と１１，１１と１２，１２と１３，１３と１４，１４と１５，１５と１０の裏面の所要個所同士を、上記各隙間１６ａ，１６ｂ，１６ｃ，１６ｄ，１６ｅ，１６ｆと、その近傍位置に設けてある各シート送り方向変更装置１７と、該各シート送り方向変更装置１７に掛け回す上記帯状シート１８を跨ぐようにして干渉しないように配した、たとえば、略Ｕ字形の連結部材２０を介し連結して、一体の便座本体９を構成する。
【００２８】
上記便座本体９の各便座ブロック１０，１１，１２，１３，１４，１５の裏面における上記各シート送り方向変更装置１７と、該各シート送り方向変更装置１７に掛け回す上記帯状シート１８、及び、上記連結部材２０とに干渉しない所要個所に、便器２の上端面に接触させるための支持脚２１を設けて、上記便座本体９の自重及び該便座本体９に使用者が腰掛けることで便座本体９に作用する荷重を、上記支持脚２１を介して便器２に伝えて受けさせることができるようにしてある。
【００２９】
シート供給部２２は、上記便座本体９の後部便座ブロック１０の左端部に、該後部便座ブロック１０の表面側に後部便座ブロック１０に沿わせて平面視反時計回り方向に上記衛生用の帯状シート１８を供給できるようにしてある。シート回収部２３は、上記シート供給部２２より供給された後、上記後部便座ブロック１０より各シート送り方向変更装置１７を介して右後部便座ブロック１１、右前部便座ブロック１２、前部便座ブロック１３、左前部便座ブロック１４、左後部便座ブロック１５の表面側を順に通過させた後、上記回収用シート方向変更装置１９により後部便座ブロック１０の裏面側に沿うように向きが変えられた上記帯状シート１８を回収するようにしてある。
【００３０】
詳述すると、上記便座本体９を構成する後部便座ブロック１０と右後部便座ブロック１１、右後部便座ブロック１１と右前部便座ブロック１２、右前部便座ブロック１２と前部便座ブロック１３、前部便座ブロック１３と左前部便座ブロック１４、左前部便座ブロック１４と左後部便座ブロック１５のそれぞれ隣接する端縁部は、たとえば、上記隣接する各便座ブロック１０と１１，１１と１２，１２と１３，１３と１４，１４と１５の延びる方向同士が交わる角の二等分線の方向にほぼ沿う方向に形成してある。これにより、上記隣接する便座ブロック１０と１１，１１と１２，１２と１３，１３と１４，１４と１５の間の各隙間１６ａ，１６ｂ，１６ｃ，１６ｄ，１６ｅを通して便座ブロック裏面側のそれぞれ対応するシート送り方向変更装置１７に掛け回す上記帯状シート１８が、上記便座ブロック表面側より上記各隙間１６ａ，１６ｂ，１６ｃ，１６ｄ，１６ｅに入る位置と、該帯状シート１８が該各隙間１６ａ，１６ｂ，１６ｃ，１６ｄ，１６ｅより便座ブロック表面側に出る位置とを容易に揃えることができるようにしてある。
【００３１】
上記左後部便座ブロック１５における後部便座ブロック１０と隣接する端縁部は、左右方向に延びる形状としてある。
【００３２】
上記各シート送り方向変更装置１７は、対応する各隙間１６ａ，１６ｂ，１６ｃ，１６ｄ，１６ｅを通して便座ブロック表面側から裏面側へ引き出された上記帯状シート１８が、該各シート送り方向変更装置１７に掛け回されてから上記隙間１６ａ，１６ｂ，１６ｃ，１６ｄ，１６ｅを通して便座ブロック裏面側から表面側へ戻される間に、該帯状シート１８における便座中央寄りの端縁部の方が、便座外周寄りの端縁部よりも所要寸法長い（大きい）ループ形状の経路を経て移動するような構成としてある。これにより、上記各隙間１６ａ，１６ｂ，１６ｃ，１６ｄ，１６ｅの平面視反時計回り方向の上流側に位置する便座ブロック１０，１１，１２，１３，１４の表面側に配置してある帯状シート１８を、上記各隙間１６ａ，１６ｂ，１６ｃ，１６ｄ，１６ｅを通して対応するシート送り方向変更装置１７に掛け回すことで、上記各隙間１６ａ，１６ｂ，１６ｃ，１６ｄ，１６ｅより便座ブロック表面側に戻る上記帯状シート１８の向きを、平面視で便座中央寄り側へ所要角度で角度変更させることができるようにしてある。よって、上記各隙間１６ａ，１６ｂ，１６ｃ，１６ｄ，１６ｅの平面視反時計回り方向の下流側に位置する便座ブロック１１，１２，１３，１４，１５の表面側にそれぞれ沿わせることで、上記帯状シート１８を周方向に配置できるようにしてある。
【００３３】
具体的には、上記各シート送り方向変更装置１７は、図４（イ）（ロ）（ハ）に、一例として、後部便座ブロック１０と右後部便座ブロック１１との間の隙間１６ａの便座ブロック裏面側に設けるシート送り方向変更装置１７を示すように、たとえば、上記帯状シート１８の幅寸法とほぼ同様の軸心方向寸法を備えたガイドローラ２４が、支持軸２５に回転自在に取り付けてある。
【００３４】
更に、上記後部便座ブロック１０の表面側に沿って配置される上記帯状シート１８の延長線上の下方で、且つ上記右後部便座ブロック１１の裏面側となる位置に、上記ガイドローラ２４を、該ガイドローラ２４の軸心方向一端部２４ａが上記隙間１６ａにおける便座外周寄りの端部に近接するようにして、上記後部便座ブロック１０の表面側における帯状シート１８の送り方向と直交する方向に配置し、該ガイドローラ２４の軸心方向他端部２４ｂより突出させた上記支持軸２５を、便座ブロック裏面側へ屈曲させて、右後部便座ブロック１１の裏面における所要個所に取り付けた構成としてある。
【００３５】
これにより、上記後部便座ブロック１０の表面側に沿って配置してある帯状シート１８の先端側部分を、上記隙間１６ａより便座ブロック裏面側に引き出して上記シート送り方向変更装置１７のガイドローラ２４に掛け回してから上記隙間１６ａを経て右後部便座ブロック１１の表面側へ戻すようにすることで、上記帯状シート１８が上記隙間１６ａと上記ガイドローラ２４との間を往復する間に、該帯状シート１８の便座中央寄りの端縁部が、便座外周寄りの端縁部に比して、上記ガイドローラ２４の軸心方向他端部２４ｂと上記隙間１６ａとの間隔と、該ガイドローラ２４の軸心方向一端部２４ａと上記隙間１６ａとの間隔との差の寸法の２倍の寸法分、長い経路を経るようにしてある。
【００３６】
すなわち、上記平坦な帯状シート１８は、先ず、上記隙間１６ａを通して後部便座ブロック１０の表面側から便座ブロック裏面側へ導かれる部分（図４（イ）（ロ）（ハ）参照）で、図５（イ）に一点鎖線で示す如き該帯状シート１８の進行方向（長手方向）に対し上記隙間１６ａの向きに応じて所要角度傾斜した方向の山折り線１８ａに沿って略山折り状に屈曲させられる。次に、上記シート送り方向変更装置１７のガイドローラ２４に掛け回される部分（図４（イ）（ロ）（ハ）参照）では、図５（イ）に二点鎖線で示す如き該帯状シート１８の進行方向に直交する方向の谷折り線１８ｂに沿って略谷折り状に屈曲させられる。次いで、上記隙間１６ａを通して便座裏面側から右後部便座ブロック１１の表面側へ導かれる部分（図４（イ）（ロ）（ハ）参照）では、上記谷折り線１８ｂを中心として上記山折り線１８ａとほぼ線対象位置にある図５（イ）に一点鎖線で示す如き山折り線１８ｃに沿って再び略山折り状に屈曲させられることで、上記帯状シート１８は、図５（ロ）に示すように、長手方向の途中部分が裏面側に突出するように変形され、該帯状シート１８の裏面側に突出する部分では、便座中央寄りの端縁部が、上記各山折り線１８ａ，１８ｃと谷折り線１８ｂとの間隔Ｌの２倍の寸法分、便座外周寄りの端縁部に比して長い経路を通るようにしてある。
【００３７】
よって、上記隙間１６ａを通して右後部便座ブロック１１の表面側へ戻す上記帯状シート１８の向きが、上記後部便座ブロック１０の表面側に配置されている方向に対して、便座中央寄りに所要角度で角度変更されることで、図４（イ）に示すように、上記右後部便座ブロック１１の表面側へ導かれる帯状シート１８を、該右後部便座ブロック１１に沿わせて配置することができるようにしてある。
【００３８】
又、上記右後部便座ブロック１１と右前部便座ブロック１２との間の隙間１６ｂの近傍位置、右前部便座ブロック１２と前部便座ブロック１３との間の隙間１６ｃの近傍位置、前部便座ブロック１３と左前部便座ブロック１４との間の隙間１６ｄの近傍位置、左前部便座ブロック１４と左後部便座ブロック１５との間の隙間１６ｅの近傍位置にそれぞれ設けるシート送り方向変更装置１７も、該各隙間１６ｂ，１６ｃ，１６ｄ，１６ｅに対する位置関係を、上記図４（イ）（ロ）（ハ）に示したシート送り方向変更装置１７と同様に設定して設けた構成としてある。これにより、上記右後部便座ブロック１１の表面側に沿って配置される上記帯状シート１８の先端側部分を、上記隙間１６ｂに対応させて設けたシート送り方向変更装置１７に掛け回すことで、上記右前部便座ブロック１２の表面側に導かれる帯状シート１８を、便座中央寄りに所要角度で角度変更させて、該右前部便座ブロック１２に沿わせて配置できるようにしてある。同様に、上記右前部便座ブロック１２の表面側に配置される上記帯状シート１８の先端側部分を、上記隙間１６ｃに対応させて設けたシート送り方向変更装置１７に掛け回すことで、上記前部便座ブロック１３の表面側に導かれる帯状シート１８を、便座中央寄りに所要角度で角度変更させて、該前部便座ブロック１３に沿わせて配置できるようにしてある。以後同様に、上記前部便座ブロック１３と左前部便座ブロック１４との間の隙間１６ｄ、上記左前部便座ブロック１４と左後部便座ブロック１５との間の隙間１６ｅで、帯状シート１８を、便座中央寄りに所要角度で角度変更させるようにしてある。
【００３９】
上記回収用シート方向変更装置１９は、図６（イ）（ロ）に示すように、たとえば、上記帯状シート１８の幅寸法よりも所要寸法長い軸心方向寸法を備えたガイドローラ２６が、支持軸２７に回転自在に取り付けてある。
【００４０】
更に、上記左後部便座ブロック１５の表面側に沿って配置される上記帯状シート１８の延長線上の下方で、且つ上記後部便座ブロック１０の裏面側となる位置に、上記ガイドローラ２６を、上記左後部便座ブロック１５の表面側における帯状シート１８の送り方向と、後部便座ブロック１０の左端部の延びる方向との間に形成される角の二等分線に直交する方向にほぼ沿うように配置して、該ガイドローラ２６における便座中央寄りの端部より突出させた上記支持軸２７を、上記後部便座ブロック１０の裏面側へ屈曲させて、該後部便座ブロック１０の裏面における所要個所に取り付けた構成としてある。
【００４１】
これにより、上記左後部便座ブロック１５の表面側に沿って配置してある帯状シート１８を、上記左後部便座ブロック１５と後部便座ブロック１０との間の隙間１６ｆより便座ブロック裏面側に引き出して上記回収用シート方向変更装置１９のガイドローラ２６に掛け回すことで、上記帯状シート１８を上記後部便座ブロック１０の裏面側に沿わせて該後部便座ブロック１０の左端側へ導くことができるようにしてある。
【００４２】
しかも、上記各シート送り方向変更装置１７及び回収用シート方向変更装置１９が、いずれもガイドローラ２４，２６を片持ち支持してなる構成としてあることにより、上記各シート送り方向変更装置１７及び回収用シート方向変更装置１９の各ガイドローラ２４，２６に対して上記帯状シート１８を掛け回す作業を、便座外側より該帯状シート１８を各ガイドローラ２４，２６の周囲（外周部）へ挿入する作業によって容易に実施できるようにしてある。
【００４３】
なお、後部便座ブロック１０、右後部便座ブロック１１、右前部便座ブロック１２、前部便座ブロック１３、左前部便座ブロック１４、左後部便座ブロック１５における各帯状シート送り方向の下流側の端縁部は、図４（ロ）（ハ）及び図６（ロ）に示す如く、いずれも表面側と裏面側が滑らかに連続する円弧形状となるようにしてあり、上記各便座ブロック１０，１１，１２，１３，１４，１５の表面側から各隙間１６ａ，１６ｂ，１６ｃ，１６ｄ，１６ｅ，１６ｆを通して便座ブロック裏面側へ導かれる上記帯状シート１８を、上記円弧形状としてある各便座ブロック１０，１１，１２，１３，１４，１５の端縁部に沿わせて円滑に移動（走行）させることができるようにしてある。
【００４４】
一方、右後部便座ブロック１１、右前部便座ブロック１２、前部便座ブロック１３、左前部便座ブロック１４、左後部便座ブロック１５における各帯状シート送り方向の上流側の端縁部には、図４（ロ）（ハ）に示すように、該端縁部に沿って延びる円柱形状のガイドバー２８を設けてなる構成として、上記各シート送り方向移動装置１７に掛け回された後、便座ブロック裏面側から各隙間１６ａ，１６ｂ，１６ｃ，１６ｄ，１６ｅを通して上記各便座ブロック１１，１２，１３，１４，１５の表面側へ導かれる上記帯状シート１８が、上記各ガイドバー２８に沿わされることで円滑に移動（走行）させることができるようにしてあるが、ガイドバー２８を設けることに代えて、上記各便座ブロック１１，１２，１３，１４，１５の帯状シート送り方向の上流側の端縁部に、該帯状シート送り方向に沿って回転可能なディスクを、便座内外方向に所要間隔で複数設けた構成としたり、端縁部自体を滑らかな円弧形状としてもよい。
【００４５】
更に、図示してないが、上記各便座ブロック１０，１１，１２，１３，１４，１５の端縁部における便座中央寄りの端部と便座外周寄りの端部に、便座ブロック裏面側へ所要寸法突出するガイドを設けて、該各便座ブロック１０，１１，１２，１３，１４，１５の端縁部に沿って移動する上記帯状シート１８が便座内外方向に逸脱する虞を未然に防止できるようにしてもよい。
【００４６】
上記シート供給部２２とシート回収部２３は、図７に示すように、各々の箱型のケーシング２９と３０を、水平な仕切壁３１を挟んで上下方向に一体に連結して形成すると共に、上記後部便座ブロック１０の左端部に、上記仕切壁３１の便座側端部となる右端部を一体に連結して支持させた構成としてある。
【００４７】
更に、上記シート供給部２２は、図７及び図８に示すように、上記ケーシング２９の天井壁２９ａ及び反便座側側壁となる左側壁２９ｂを、上記天井壁２９ａの右端部（便座側端部）を中心に上下方向に一体に回動できるようにしてなる構成として、図７に実線で、又、図８に二点鎖線でそれぞれ示す如く、上記天井壁２９ａと左側壁２９ｂを上方へ回動させることで、該ケーシング２９の左側及び上端側を開放できるようにしてある。
【００４８】
上記シート供給部２２のケーシング２９の前側壁２９ｃと後側壁２９ｄの内面には、該各壁２９ｃ，２９ｄの中央部から左上の角部に達する所要深さの軸取付溝３２を平行に設けて、該各軸取付溝３２に、上記帯状シート１８が巻いてあるシート供給ロール３３のロール軸３３ａの両端部を嵌合させることで、上記ケーシング２９のほぼ中央部に、上記シート供給ロール３３を回転自在に装着できるようにしてある。更に、上記ケーシング２９の天井壁２９ａと左側壁２９ｂを上方に回動させて該ケーシング２９の左側及び上端側を開放した状態で、上記シート供給ロール３３のロール軸３３ａを上記軸取付溝３２に沿ってスライドさせることで、上記帯状シート１８が巻き出された後のロール軸３３ａの取外しと、新たなシート供給ロール３３のロール軸３３ａの装着とを容易に実施できるようにしてある。
【００４９】
上記シート供給部２２のケーシング２９の便座側側壁となる右側壁２９ｅにおける上記仕切壁３１の近傍となる下端部には、前後方向に延びるシート供給口３４が設けてあると共に、該シート供給口３４の内側近傍位置に、２本の供給用ローラ３５が近接状態で平行に設けてある。これにより、上記ケーシング２９内に装着したシート供給ロール３３より巻き出す上記帯状シート１８を、図８に示すように上記２本の供給用ローラ３５の間を通してから上記シート供給口３４を経て上記後部便座ブロック１０の表面側に、該後部便座ブロック１０の左端部が延びる方向に沿わせて供給できるようにしてある。更に、上記シート供給ロール３３の周速が、上記シート供給口３４より上記後部便座ブロック１０の表面側へ上記帯状シート１８を供給する際に所望される供給速度を一時的に上回るようになるとしても、上記シート供給ロール３３より巻き出す帯状シート１８を上記２本の供給用ローラ３５の間を通すことで、上記シート供給口３４を経て後部便座ブロック１０の表面側に供給される帯状シート１８に、弛みが生じないようにしてある。
【００５０】
上記シート回収部２３は、図７及び図９（イ）（ロ）に示すように、ケーシング３０の前側壁３０ａを、その下端部を中心に前後方向に回動できるようにしてなる構成として、該前側壁３０ａを前方へ回動させることで、上記ケーシング３０の前面側を開放することができるようにしてある。
【００５１】
上記ケーシング３０の後側壁３０ｂの外側所要個所には、駆動モータ３６を設け、該駆動モータ３６の出力側に連結したギアボックスの如き動力伝達機構３７の出力軸３７ａを、上記後側壁３０ｂの中央部を貫通させてケーシング３０内に突出させて配置すると共に、該出力軸３７ａに、上記ケーシング３０内の中央部に前後方向に延びるよう配置した回転軸３８が取り付けてある。上記回転軸３８には、外周面における周方向の１個所に、軸心方向に沿って延びる凸部３９が設けてある。
【００５２】
一方、中心部に上記回転軸３８の外径に対応した内径の貫通孔４１を有し、且つ該貫通孔４１の内周面における周方向の１個所に、上記回転軸３８の外周面に設けた凸部３９に嵌合し得る凹部４２を軸心方向に沿って設けてなる中空の巻取りロール軸４０を別途用意して、上記ケーシング３０の前面側を開放した状態にて、該巻取りロール軸４０を、上記ケーシング３０内に設けてある上記回転軸３８に対して前方から着脱自在に装着できるようにしてある。
【００５３】
更に、上記シート回収部２３のケーシング３０の便座側側壁となる右側壁３０ｃにおける上記仕切壁３１の近傍となる上端部には、前後方向に延びるシート回収口４３が設けてあると共に、該シート回収口４３の内側近傍位置に、２本の回収用ローラ４４が近接状態で平行に設けてある。
【００５４】
なお、上記ケーシング３０の前側壁３０ａの中央部には、該前側壁３０ａにより上記ケーシング３０の前面側を閉塞させた状態のときに上記回転軸３８の前端部（突出端部）を嵌合させて回転自在に受けるための軸受孔４５が設けてある。これにより、上記後部便座ブロック１０の裏面側より上記シート回収口４３を通してケーシング３０内に導く帯状シート１８を、上記２本の回収用ローラ４４の間を通してガイドさせてから、該帯状シート１８の先端部を、上記回転軸３８に装着した巻取りロール軸４０の外周面に、テープ等の図示しない所要の取付手段を介し取り付けた状態にて、上記駆動モータ３６を運転することにより、上記動力伝達機構３７を介して上記回転軸３８へ伝達される回転駆動力により、該回転軸３８と一体に上記巻取りロール軸４０を回転させて、該巻取りロール軸４０に、上記帯状シート１８を巻き取って回収できるようにしてある。よって、上記巻取りロール軸４０の回転駆動による帯状シート１８の巻取動作に伴って、上記シート供給部２２のシート供給ロール３３より順次巻き出される帯状シート１８を、上記後部、右後部、右前部、前部、左前部の各便座ブロック１０，１１，１２，１３，１４の表面側と、各シート送り方向変更装置１７とを交互に通した後、左後部便座ブロック１５の表面側へ導き、更に、上記すべての便座ブロック１０，１１，１２，１３，１４，１５の表面側を通過した後の帯状シート１８を、隙間１６ｆより回収用シート方向変更装置１９を経て上記後部便座ブロック１０の左端部の裏面側を通して上記シート回収部２３へ導いて回収することができるようにしてある。
【００５５】
更に、上記のようにして帯状シート１８を巻き取った後の巻取りロール軸４０は、上記ケーシング３０の前側壁３０ａを前方へ回動させて該ケーシング３０の前面側を開放させた状態にて、巻き取った帯状シート１８ごと前方へ引き出すことで上記回転軸３８より容易に取り外すことができるようにしてあり、その後、新たな巻取りロール軸４０を上記回転軸３８に装着することで、巻取りロール軸４０の交換を容易に行うことができるようにしてある。
【００５６】
上記帯状シート１８は、たとえば、プラスチック類の薄膜、不織布、布、あるいはこれらの複合材等、濡れても引張強度が容易に低下しないような材質製としてある。又、該帯状シート１８の幅寸法は、上記各便座ブロック１０，１１，１２，１３，１４，１５の表面側に沿って配置することで、各便座ブロック１０，１１，１２，１３，１４，１５の表面全体を覆うことができるような幅寸法に設定してある。
【００５７】
更に、上記便座装置８には、便座本体９を使用するごとに、該便座本体９の各便座ブロック１０，１１，１２，１３，１４，１５の表面側を、上記帯状シート１８におけるシート供給部４より新たに供給される清浄な部分で自動的に覆うことができるように、上記便座本体９の不使用時に上記シート回収部２３の駆動モータ３６の運転を開始させて、巻取りロール軸４０の回転駆動を開始させて、上記シート供給部２２から帯状シート１８の清浄な部分の供給を開始させ、且つ上記シート供給部２２から供給された帯状シート１８の清浄な部分によって上記すべての便座ブロック１０，１１，１２，１３，１４，１５の表面側が覆われるようになると、上記駆動モータ３６の運転を自動的に停止させる制御系を備えた構成としてある。
【００５８】
具体的には、上記便座本体９の不使用時を検出して上記シート回収部２３の駆動モータ３６の運転を開始させるためのスイッチとして、たとえば、図１、図２及び図１０に示すように、便器２の後端部上端面に設置したブラケット４６に、上記便座本体９の後部便座ブロック１０の後端面の所要個所に突設した取付部４７と、便ふた４８の後端部に設けた取付部４８ａを、それぞれ左右方向の軸４９，５０を介して個別に上下方向回動可能に取り付けて、上記便座本体９と便ふた４８とを個別に開閉操作できるようにしてなる構成における上記ブラケット４６の便ふた４８取付部近傍となる所要個所に、上記便ふた４８の開放時には回路を開き、該便ふた４８を閉めると回路を閉じる２つの接点５１ａ，５１ｂを備えた便ふた開閉検出用の蓋スイッチ５１が設けてある。
【００５９】
又、図１１に示す如く、上記帯状シート１８の長手方向に、上記シート供給部２２のシート供給口３４より後部便座ブロック１０の表面側に供給される帯状シート１８が上述したようにすべての便座ブロック１０，１１，１２，１３，１４，１５の表面側を通過してから隙間１６ｆを経て上記後部便座ブロック１０の裏面側に至るまでの経路長に応じた間隔Ｌで、幅方向の一端寄り位置に、第１のセンサ検出用マークとしての第１の孔５２ａが穿設してある。更に、上記帯状シート１８の長手方向における上記第１の孔５２ａよりシート送り方向と反対側へ数センチ離れた位置で、且つ幅方向他端寄り位置に、第２のセンサ検出用マークとしての第２の孔５２ｂが穿設してある。
【００６０】
更に、図１２（イ）（ロ）に示す如く、上記シート供給部２２のシート供給口３４の上側面（天井面）に、上記帯状シート１８に設けた第１の孔５２ａ及び第２の孔５２ｂの幅方向位置にそれぞれ対応させて、上記シート供給口３４の底面に達する板バネ形状のバネ状端子５３ａ，５４ａをそれぞれ設けると共に、上記各シート供給口３４の底面における上記各バネ状端子５３ａ，５４ａの下方となる位置に、板状の端子５３ｂ，５４ｂをそれぞれ埋設して、上記シート供給部２２のシート供給口３４を通して後部便座ブロック１０の表面側へ順次供給するようにしてある上記帯状シート１８の上記第１の孔５２ａが、上記一方のバネ状端子５３ａの下方に達すると、該第１の孔５２ａを通して上記バネ状端子５３ａがその下方の板状端子５３ｂに接し、この接点が通電可能となることに基づいて上記帯状シート１８の第１の孔５２ａを検出できるようにしてある第１のセンサ５３と、同様に、上記帯状シート１８の上記第２の孔５２ｂが上記他方のバネ状端子５４ａの下方に達すると、該第２の孔５２ｂを通して上記バネ状端子５４ａがその下方の板状端子５４ｂに接して、該接点が通電可能となることに基づいて上記帯状シート１８の第２の孔５２を検出できるようにしてある第２のセンサ５４がそれぞれ形成して設けてある。
【００６１】
上記蓋スイッチ５１と上記各センサ５３，５４の作動に基づいて上記シート回収部２３の駆動モータ３６を制御するための制御回路は、図１０に示す如く、電源５５に上記駆動モータ３６を接続する回路Ｘ１に、リレー５６のａ接点５６ａ１が直列に接続してある。
【００６２】
又、上記電源５５には、上記蓋スイッチ５１の一方の接点５１ａが、上記リレー５６と、リレー５７のｂ接点５７ｂを直列に備えた回路Ｘ２を介して接続してある。
【００６３】
更に、上記電源５５には、上記蓋スイッチ５１の他方の接点５１ｂが、上記リレー５７に該リレー５７のａ接点５７ａ及びリレー５８のａ接点５８ａ１を並列に接続し、これに上記第２のセンサ５４の接点を直列に備えた回路Ｘ３を介して接続してある。
【００６４】
更に又、上記電源５５には、上記リレー５８に該リレー５８の別のａ接点５８ａ２及び上記第１のセンサ５３の接点を並列に接続し、これに上記リレー５６の別のａ接点５６ａ２を直列に設けた回路Ｘ４が接続してある。
【００６５】
以上の回路構成としてある制御系によれば、使用者が便ふた４８を閉じると、回路Ｘ２と回路Ｘ３に設けてある蓋スイッチ５１の各接点５１ａと５１ｂが共に閉じられ、この際、上記回路Ｘ２では、上記蓋スイッチ５１の一方の接点５１ａと、リレー５７のｂ接点５７ｂを介してリレー５６への通電が開始されて、該リレー５６が励磁される。このリレー５６の励磁により、上記回路Ｘ１にて駆動モータ３６に直列に接続してある上記リレー５６のａ接点５６ａ１が閉じられるため、上記駆動モータ３６への通電が開始される。よって、該駆動モータ３６の運転により上記シート回収部２３における巻取りロール軸４０が回転駆動されることで、上記シート供給部２２から新たに導かれる帯状シート１８の清浄な部分の各便座ブロック１０，１１，１２，１３，１４，１５の表面側への供給が開始される。
【００６６】
なお、この際、上記回路Ｘ３では、蓋スイッチ５１の他方の接点５１ｂが閉じられたままとなり、又、上記回路Ｘ４では上記リレー５６の別のａ接点５６ａ２が閉じたままとなる。
【００６７】
次いで、上記シート供給部２２より便座本体９の表面側へ新たに供給された帯状シート１８の長さが、上記すべての便座ブロック１０，１１，１２，１３，１４，１５の表面側を覆う長さに達する数センチ手前で、上記帯状シート１８に設けてある第１の孔５２ａが、上記シート供給部２２のシート供給口３４に設けてある第１のセンサ５３の位置に来ると、該第１のセンサ５３の接点が閉じられる。これにより、上記回路Ｘ４にて、上記リレー５６の別のａ接点５６ａ２と上記第１のセンサ５３の接点を介して上記リレー５８への通電が開始されて、該リレー５８が励磁されるため、上記回路Ｘ４では、上記第１のセンサ５３の接点と並列に設けてある上記リレー５８のａ接点５８ａ２が閉じて、該リレー５８の自己保持が行われ、同時に、上記回路Ｘ３における上記リレー５８のａ接点５８ａ１が閉じられる。
【００６８】
その後、上記駆動モータ３６の運転が継続されると、上記帯状シート１８に設けてある第１の孔５２ａが、上記シート供給部２２のシート供給口３４に設けてある第１のセンサ５３の位置を通過するため、上記第１のセンサ５３の接点は開くが、上記したようにリレー５８は自己保持が行われたままとなる。この状態で、上記シート供給部２２より便座本体９の表面側に新たに供給された帯状シート１８の長さが、上記すべての便座ブロック１０，１１，１２，１３，１４，１５の表面側を覆う長さに達して、すなわち、便ふた４８を閉じる以前に便座本体９の各便座ブロック１０，１１，１２，１３，１４，１５の表面側に配置されていたすべての帯状シート１８が、上記シート供給部２２より新たに供給された清浄な帯状シート１８に交換された時点で、上記帯状シート１８に設けてある第２の孔５２ｂが、上記シート供給部２２のシート供給口３４に設けてある第２のセンサ５４の位置に来ると、該第２のセンサ５４の接点が閉じられる。これにより、上記回路Ｘ３では、蓋スイッチ５１の他方の接点５１ｂ、上記第２のセンサ５４の接点、上記リレー５８のａ接点５８ａ１を介してリレー５７への通電が開始されて、該リレー５７が励磁される。このようにして上記リレー５７が励磁されると、上記回路Ｘ３では、上記リレー５８のａ接点５８ａ１と並列に設けてある上記リレー５７のａ接点５７ａが閉じて、該リレー５７の自己保持が行われる。同時に、回路Ｘ２に設けてある上記リレー５７のｂ接点５７ｂが開くため、該回路Ｘ２では、リレー５６への通電が停止されて、該リレー５６が消磁され、これにより、回路Ｘ１にて駆動モータ３６に直列に接続してある上記リレー５６のａ接点５６ａ１が開いて、上記駆動モータ３６への通電が停止されるため、該駆動モータ３６の運転が自動的に停止されるようにしてある。又、上記回路Ｘ４に設けてある上記リレー５６の別のａ接点５６ａ２も開くことで、該回路Ｘ４では、リレー５８が消磁されるようにしてある。
【００６９】
しかる後、次の使用者が上記便ふた４８を開くと、上記回路Ｘ２と回路Ｘ３における蓋スイッチ５１の２つの接点５１ａと５１ｂが共に開くため、回路Ｘ３ではリレー５７への通電が停止されて、該リレー５７が消磁され、これにより、上記回路Ｘ３における上記リレー５７のａ接点５７ａが開くと共に、回路Ｘ２における上記リレー５７のｂ接点５７ｂが閉じて、初期状態に復旧されるようにしてある。
【００７０】
なお、上記便ふた４８の裏面側に、図２に示す如く、便ふた４８を閉じたときに上記便座本体９の所要の便座ブロック１０，１１，１２，１３，１４，１５の表面側に接することで該便ふた４８の荷重を上記便座本体９へ伝えて支持させるための支持脚５９を設ける必要がある場合は、該支持脚５９の突出端部に、図示しないローラを、上記便座本体９の各便座ブロック１０，１１，１２，１３，１４，１５の表面側における帯状シート１８の送り方向に沿わせて回転できるように設けた構成とすることで、上記便ふた４８を閉じた状態で、上記便座本体９の各便座ブロック１０，１１，１２，１３，１４，１５の表面側に配置されている帯状シート１８の交換を行う際に、該帯状シート１８に上記便ふた４８の支持脚５９が接触しても、該帯状シート１８の進行（走行）の妨げにならないようにすればよい。
【００７１】
以上の構成としてある本発明の便座装置８を装備した洋式便器２にて、使用者が上記便座装置８の便座本体９に腰掛けて使用した後は、便ふた４８を閉じると、上述したように便座本体９のすべての便座ブロック１０，１１，１２，１３，１４，１５の表面側が、上記シート供給部２２より供給された清浄な帯状シート１８によって覆われるようになるため、次の使用者が便ふた４８を開けて使用する際には、予め、便座本体９の表面側が、周方向の全周に亘り清浄な衛生用の帯状シート１８で覆われた状態となっている。このために、該使用者は、便ふた４８を開けるのみで、前の使用者による汚染や汚れを気にすることなく、上記清浄な帯状シート１８によって表面側が覆われた便座本体９に腰掛けて使用できるようになる。
【００７２】
このように、本発明の便座装置８によれば、使用者が便座本体９の使用後に便ふた４８を閉めるのみで、便座本体９を、表面側が全周に亘り清浄な帯状シート１８で覆われた状態で次の使用者の使用に供することができる。
【００７３】
又、上記便座本体９の表面側を覆う帯状シート１８は、平坦なシートとすることができると共に、上記便座本体９の表面側を周方向の全周に亘って覆うために必要な帯状シート１８の長さ寸法を、上記便座本体９の外周に沿う長さ寸法よりもやや長い寸法に収めることができて、特許文献１で従来提案されているような便座用シート巻取器で使用する袋状のシートに比して材料の量を大幅に低減させることができる。又、上記帯状シート１８を、製造の容易なものとすることができて、該帯状シート１８を安価なものとすることができる。
【００７４】
又、上記帯状シート１８は、便座本体９を形成している各便座ブロック１０，１１，１２，１３，１４，１５の隣接するもの同士の隙間１６ａ，１６ｂ，１６ｃ，１６ｄ，１６ｅを通して便座ブロック裏面側に引き出した部分をそれぞれ対応するシート送り方向変更装置１７に掛け回すことで、上記各隙間１６ａ，１６ｂ，１６ｃ，１６ｄ，１６ｅの平面視反時計回り方向の下流側に位置する各便座ブロック１１，１２，１３，１４，１５の表面側に沿って配置されるように、上記帯状シート１８を、便座中央寄り側へ順次角度変更させることができるため、該帯状シート１８を、上記便座本体９の周方向へ自動的に追従させて配置することができる。よって、便座本体９を使用する使用者ごとの手作業による上記帯状シート１８の位置合わせ作業を不要にすることができると共に、使用者が便座本体９に腰掛ける際における上記帯状シート１８の位置ずれを防止することも可能となる。
【００７５】
次に、図１３（イ）（ロ）（ハ）は本発明の実施の他の形態として、図１乃至図１２（イ）（ロ）に示したと同様の構成の便座装置８におけるシート送り方向変更装置１７の他の例を示すもので、便座ブロック１０と１１，１１と１２，１２と１３，１３と１４，１４と１５同士の間の各隙間１６ａ，１６ｂ，１６ｃ，１６ｄ，１６ｅの便座ブロック裏面側近傍位置に、所要径で且つ帯状シート１８の幅寸法に対応した軸心方向寸法を有する略円錐形状の円錐状バー６０を、太径となる軸心方向の一端部が便座中央寄りに、細径となる軸心方向の他端部が便座外周寄りに位置し、且つ該円錐状バー６０の外周面の周方向における最も便座ブロック寄りの端部が、上記各隙間１６ａ，１６ｂ，１６ｃ，１６ｄ，１６ｅに沿うよう配置して、該円錐状バー６０の軸心方向一端部に突設した支持部材６１を、所要の取付部材６２を介して上記各隙間１６ａ，１６ｂ，１６ｃ，１６ｄ，１６ｅの片側、又は、両側に位置する便座ブロック１０，１１，１２，１３，１４，１５の裏面側所要位置に取り付けてなる構成のシート送り方向変更装置１７ａとしたものである。
【００７６】
以上の構成としてある本実施の形態のシート送り方向変更装置１７ａによれば、上記各隙間１６ａ，１６ｂ，１６ｃ，１６ｄ，１６ｅに対し平面視反時計回り方向の上流側に位置する各便座ブロック１０，１１，１２，１３，１４の表面側に沿って配置してある帯状シート１８の先端側部分を、上記各隙間１６ａ，１６ｂ，１６ｃ，１６ｄ，１６ｅより便座ブロック裏面側に引き出して、それぞれ対応する上記シート送り方向変更装置１７ａの円錐状バー６０に一旦掛け回してから上記隙間１６ａ，１６ｂ，１６ｃ，１６ｄ，１６ｅを経て平面視反時計回り方向の下流側に位置する各便座ブロック１１，１２，１３，１４，１５の表面側へ配置すると、上記便座ブロック裏面側にて上記帯状シート１８が上記円錐状バー６０に掛け回された部分では、該帯状シート１８の便座中央寄りの端縁部を、便座外周寄りの端縁部に比して、上記円錐状バー６０の太径部の円周寸法と細径部の円周寸法の差の寸法分、長い経路を経由させて移動させることができる。よって、上記各隙間１６ａ，１６ｂ，１６ｃ，１６ｄ，１６ｅより上記便座ブロック１１，１２，１３，１４，１５の表面側へ導かれる上記帯状シート１８の向きを、順次便座中央寄りに所要角度で角度変更させることができるため、上記各便座ブロック１１，１２，１３，１４，１５の表面側に、上記帯状シート１８を沿わせて配置することができる。
【００７７】
次いで、図１４（イ）（ロ）（ハ）は本発明の実施の更に他の形態として、図１３（イ）（ロ）（ハ）に示したシート送り方向変更装置１７ａの応用例を示すもので、図１３（イ）（ロ）（ハ）に示した円錐状バー６０に代えて、該円錐状バー６０の軸心位置と同様の位置に支持軸６３を配置すると共に、該支持軸６３の長手方向所要間隔位置に、便座中央寄りの大径のものから便座外周寄りの小径のものへ向けて徐々に径が小さくなるように径の異なる複数枚（図では７枚）のディスク６４を配列して、該各ディスク６４の中央部を、上記支持軸６３にそれぞれ回転自在に取り付け、更に、上記支持軸６３における便座中央寄りの端部を、所要の取付部材６５を介して上記隙間１６ａ，１６ｂ，１６ｃ，１６ｄ，１６ｅの片側、又は、両側に位置する便座ブロック１０，１１，１２，１３，１４，１５の裏面側所要位置に取り付けてシート送り方向変更装置１７ｂを構成したものである。
【００７８】
本実施の形態のシート送り方向変更装置１７ｂによっても、上記各隙間１６ａ，１６ｂ，１６ｃ，１６ｄ，１６ｅに対し平面視反時計回り方向の上流側に位置する各便座ブロック１０，１１，１２，１３，１４の表面側に沿って配置してある帯状シート１８の先端側部分を、上記各隙間１６ａ，１６ｂ，１６ｃ，１６ｄ，１６ｅより便座ブロック裏面側に引き出して、それぞれ対応する上記シート送り方向変更装置１７ｂの各ディスク６４に一旦掛け回してから上記隙間１６ａ，１６ｂ，１６ｃ，１６ｄ，１６ｅを経て平面視反時計回り方向の下流側に位置する各便座ブロック１１，１２，１３，１４，１５の表面側へ配置すると、上記便座ブロック裏面側にて上記帯状シート１８が上記径の異なる各ディスク６４に掛け回された部分では、該帯状シート１８の便座中央寄りの端縁部を、便座外周寄りの端縁部に比して、上記支持軸６３に取り付けてある最大径のディスク６４の円周寸法と最小径のディスク６４の外周寸法の差の寸法分、長い経路を経由して移動させることができる。よって、上記各隙間１６ａ，１６ｂ，１６ｃ，１６ｄ，１６ｅより導かれる上記帯状シート１８を、上記便座ブロック１１，１２，１３，１４，１５の表面側に沿わせて配置することができる。
【００７９】
図１５（イ）（ロ）（ハ）は本発明の実施の更に他の形態として、図１乃至図１２（イ）（ロ）に示したと同様の構成の便座装置８におけるシート送り方向変更装置１７の別の例を示すもので、便座ブロック１０と１１，１１と１２，１２と１３，１３と１４，１４と１５同士の間の各隙間１６ａ，１６ｂ，１６ｃ，１６ｄ，１６ｅの便座ブロック裏面側近傍位置に、底辺を所要の幅寸法とし、且つ頂角を挟む２つの辺の長さ寸法を帯状シート１８の幅寸法に対応した寸法としてなる二等辺三角形状のプレート部材６６を、該プレート部材６６の二等辺三角形状の頂角部分が上記各隙間１６ａ，１６ｂ，１６ｃ，１６ｄ，１６ｅにおける便座外周寄り端部に近接し、底辺部分が便座中央寄りに位置し、更に、上記二等辺三角形状の対称軸部分が上記隙間１６ａ，１６ｂ，１６ｃ，１６ｄ，１６ｅに沿うように配置して、該プレート部材６６の便座中央寄りに位置する端部を、所要の取付部材６７を介して上記隙間１６ａ，１６ｂ，１６ｃ，１６ｄ，１６ｅの片側、又は、両側に位置する便座ブロック１０，１１，１２，１３，１４，１５の裏面側所要位置に取り付けてなる構成のシート送り方向変更装置１７ｃとしたものである。
【００８０】
なお、上記プレート部材６６の二等辺三角形状の頂角を挟む２つの辺部は、その端部を表面側から裏面側へ滑らかに連続する円弧形状として、後述するように該プレート部材６６に掛け回す帯状シート１８が、該プレート部材６６の外面に沿って円滑に移動できるようにしてある。
【００８１】
本実施の形態のシート送り方向変更装置１７ｃによっても、上記各隙間１６ａ，１６ｂ，１６ｃ，１６ｄ，１６ｅに対し平面視反時計回り方向の上流側に位置する各便座ブロック１０，１１，１２，１３，１４の表面側に沿って配置してある帯状シート１８の先端側部分を、上記各隙間１６ａ，１６ｂ，１６ｃ，１６ｄ，１６ｅより便座ブロック裏面側に引き出して、それぞれ対応する上記シート送り方向変更装置１７ｃのプレート部材６６に一旦掛け回してから上記隙間１６ａ，１６ｂ，１６ｃ，１６ｄ，１６ｅを経て平面視反時計回り方向の下流側に位置する便座ブロック１１，１２，１３，１４，１５の表面側へ配置すると、上記便座ブロック裏面側にて上記帯状シート１８が上記プレート部材６６に掛け回された部分では、該帯状シート１８の便座中央寄りの端縁部を、便座外周寄りの端縁部に比して、上記プレート部材６６の二等辺三角形状の底辺の幅寸法のほぼ２倍の寸法分、長い経路を経由して移動させることができる。よって、上記各隙間１６ａ，１６ｂ，１６ｃ，１６ｄ，１６ｅより導かれる上記帯状シート１８を、便座ブロック１１，１２，１３，１４，１５の表面側に沿わせて配置することができる。
【００８２】
なお、本発明は、上記実施の形態にのみ限定されるものではなく、便座装置８は、左右を反転させて便座本体９の右側にシート供給部２２とシート回収部２３を備えて、該便座本体９の各便座ブロック１０，１１，１２，１３，１４，１５の表面側を、平面視時計回り方向に導く帯状シート１８によって覆うようにした構成としてもよい。更には、シート供給部２２とシート回収部２３を左右に振り分けて設ける構成としてもよい。このように、シート供給部２２とシート回収部２３と左右に振り分ける場合は、左後部便座ブロック１５より隙間１６ｆを通して後部便座ブロック１０の裏面側に導いた帯状シート１８を掛け回すことで該帯状シート１８の進行方向を変えるための回収用シート方向変更装置１９におけるガイドローラ２６を配置する角度姿勢を適宜変更するようにすればよい。
【００８３】
環状の便座形状を周方向に分割して便座本体９の周方向に設ける便座ブロック１０，１１，１２，１３，１４，１５の数は、６個より増減させてもよい。この際、便座本体９を周方向により多数に分割された便座ブロックからなる構成とすれば、該便座本体９をより滑らかな環形に近づけること可能となる。
【００８４】
シート供給部２２やシート回収部２３のケーシング２９，３０の形状、大きさ、該各ケーシング２９，３０の所要個所を開閉可能とする機構、シート供給ロール３３のロール軸３３ａや巻取りロール軸４０を着脱可能に支持させる機構は、図示した以外の構成としてもよい。
【００８５】
シート供給部２２の２本一組の供給用ローラ３５及びシート回収部２３の２本一組の回収用ローラ４４の一本ずつに所要の駆動モータの出力側を接続して、該駆動モータの運転により上記２本一組の供給用ローラ３５と回収用ローラ４４を同期させて回転駆動することで、シート供給部２２から便座本体９の表面側への帯状シート１８の供給と、シート回収部２３への帯状シート１８の回収を行わせるようにしてもよい。
【００８６】
シート供給ロール３３の交換時にリセットし、該交換後の新たなシート供給ロール３３から巻き出されて便座本体９の表面側を覆うように配置させた帯状シート１８を取り替えた回数を、たとえば、上記蓋スイッチの作動回数等によってカウントするためのカウンタを設けるようにしてもよい。このようにすれば、上記シート供給ロール３３に残っている帯状シート１８を用いて、便座本体９の表面側を覆う帯状シート１８をあと何回取り替えられるかが容易に把握できるため、上記シート供給ロール３３の交換を計画的に且つ効率よく行うことができるようになる。
【００８７】
更に、便座本体９あるいは便器２側に設置するブラケット４６に対する便座本体９の取付部の取付個所付近に、便座本体９に使用者が腰掛けて使用したことを検出できるロードセル等のセンサを設けて、便ふた４８が開いていても、便座本体９が前回使用された後に、該便座本体９の表面側に配置されている帯状シート１８の取り替えが既に行われている状態であるか、又は、帯状シート１８の取り替えが行われていない状態であるかを表示するための表示器を設けるようにしてもよい。このようにすれば、便座本体９の表面側に配されている帯状シート１８の取り替えが行われていない場合は、便座本体９を使用しようとする使用者が、一旦便ふた４８を閉めることで、便座本体９の表面側の帯状シート１８を確実に取り替えることができると共に、既に取り替えられている帯状シート１８ガスｄに取り替えられている場合は、更に帯状シート１８を取り替えてしまうことによる無駄を抑制できる。上記のように便座本体９を使用しようとする使用者自身による便ふた４８の開け閉めにより便座本体９の表面側を覆う帯状シート１８の取り替えを行わせる場合は、図１０に示した回路構成に、帯状シート１８に設けた第２の孔５２ｂを検出するための第２のセンサ５４の接点が閉じられる以前に便ふた４８が開かれて、蓋スイッチ５１の接点５１ａが開かれても、リレー５６を励磁状態に保持させるための回路構成を追加して、上記帯状シート１８に設けた第２の孔５２ｂが第２のセンサ５４に検出されるようになるまで、駆動モータ３６の運転を継続させることができるようにすることが望ましい。
【００８８】
更には、上記便ふた４８を閉める操作以外に、使用者が直接操作して上記駆動モータ３６の運転による上記便座本体９の表面側の帯状シート１８の取替作業を開始させるためのスイッチを設けるようにしてもよい。この場合も、上記使用者がスイッチを一旦操作して、駆動モータ３６の運転を開始させると、上記帯状シート１８に設けた第２の孔５２ｂが第２のセンサ５４に検出されるまで駆動モータ３６の運転を継続させることができるようにすることが望ましい。
【００８９】
便座本体９の表面側に配置する帯状シート１８を便座本体９を使用するごとに取り替える際、シート供給部２２より供給する清浄な帯状シート１８が該便座本体９のすべての便座ブロック１０，１１，１２，１３，１４，１５の表面側に配置された時点で該帯状シート１８の供給を自動で停止させるために、帯状シート１８に、シート供給部２２を出た帯状シート１８がすべての便座ブロック１０，１１，１２，１３，１４，１５の表面側を経た後、隙間１６ｆより後部便座ブロック１０の裏面側へ達するまでの経路長に応じた間隔でセンサ検出用マークとなる第１の孔５２ａと第２の孔５２ｂをそれぞれ設けて、該各孔５２ａと５２ｂを、シート供給部２２のシート供給口３４に設けた接触式の第１のセンサ５３と第２のセンサ５４でそれぞれ検出させるものとして示したが、上記センサ検出用マークを、上記帯状シート１８の所要個所に、他の部分とは異なる色を付すことで設けると共に、上記第１のセンサ５３と第２のセンサ５４を光学式センサとする等、上記第１のセンサ５３と第２のセンサ５４の検出形式は適宜変更してもよく、該各センサ５３，５４の検出形式に応じて上記センサ検出用マークの形式も適宜変更してもよい。又、上記各センサ５３，５４は、シート供給口３４に代えて、シート回収部２３におけるシート回収後４３に設けるようにしてもよい。
【００９０】
帯状シート１８は、便座本体９の各便座ブロック１０，１１，１２，１３，１４，１５の表面側の全面を覆い得る幅寸法とすることが好ましいが、上記便座本体９の各便座ブロック１０，１１，１２，１３，１４，１５の表面側にて、便座本体９に腰掛ける使用者の臀部が接触しない個所があれば、その部分が露出した状態となるような幅寸法としてもよい。
【００９１】
更に、上記のように、便座本体９の各便座ブロック１０，１１，１２，１３，１４，１５の表面側に、帯状シート１８に覆われずに露出された部分が存在する場合は、便ふた４８に設ける支持脚５９を、上記便座本体９の各便座ブロック１０，１１，１２，１３，１４，１５の表面側における帯状シート１８に覆われない部分に接するように配設してもよく、この場合は、上記支持脚５９の突出端部に、上記各便座ブロック１０，１１，１２，１３，１４，１５の表面側を移動する帯状シート１８の移動方向に沿って回転可能な図示しないローラを設ける構成を省略してよい。
【００９２】
又、各便座ブロック１０，１１，１２，１３，１４，１５同士の連結を、連結部材２０で行う場合を示したが、連結部材２０としては、図示以外の構造のものでもよい。
【００９３】
図１乃至図１２（イ）（ロ）の実施の形態では、帯状シート１８を掛け回すためのシート送り方向変更装置１７として、支持軸２５に回転自在に取り付けられたガイドローラ２４を示したが、該ガイドローラ２４に代えて固定式のガイドバーとしてもよい。
【００９４】
更には、各シート送り方向変更装置は、各便座ブロック１０，１１，１２，１３，１４，１５同士の隙間１６ａ，１６ｂ，１６ｃ，１６ｄ，１６ｅを通して便座ブロック表面側から裏面側へ引き出された帯状シート１８が、該各シート送り方向変更装置に掛け回されてから上記隙間１６ａ，１６ｂ，１６ｃ，１６ｄ，１６ｅを通して便座ブロック裏面側から表面側へ戻される間に、該帯状シート１８における便座中央寄りの端縁部の方が、便座外周寄りの端縁部よりも所要寸法長いループ形状の経路を経て移動するようにしてあれば、図４（イ）（ロ）（ハ）、図１３（イ）（ロ）（ハ）、図１４（イ）（ロ）（ハ）、図１５（イ）（ロ）（ハ）に示した以外の構造のものでもよい。
【００９５】
その他本発明の要旨を逸脱しない範囲内で種々変更を加え得ることは勿論である。
【図面の簡単な説明】
【００９６】
【図１】本発明の便座装置の実施の一形態を示すもので、洋式便器に装着して使用するときの状態を示す概略平面図である。
【図２】図１の便座装置を洋式便器に装着して使用するときの状態を示す概略側面図である。
【図３】図１の便座装置における便座本体の一例を示すもので、（イ）は表面側を示す平面図、（ロ）は裏面側を示す底面図である。
【図４】図１の便座装置における便座本体の一部のシート送り方向変更装置の部分を拡大して示すもので、（イ）は平面図、（ロ）は（イ）のＡ−Ａ方向矢視図、（ハ）は（イ）のＢ−Ｂ方向矢視図である。
【図５】図４のシート送り方向変更装置の部分で帯状シートのシート送り方向が変更される原理の概要を示すもので、（イ）は帯状シートにおける屈曲位置を示す図、（ロ）は帯状シートが所定位置で屈曲されることによりシート送り方向が変更された状態を示す図である。
【図６】図１の便座装置における便座本体の回収用シート方向変更装置の部分を拡大して示すもので、（イ）は平面図、（ロ）は（イ）のＣ−Ｃ方向矢視図である。
【図７】図１の便座装置におけるシート供給部とシート回収部を拡大して示すもので、シート供給ロールと巻取りロール軸が非装着の状態を示す斜視図である。
【図８】図１の便座装置におけるシート供給部を拡大して示すもので、シート供給ロールを装着した状態を示す切断側面図である。
【図９】図１の便座装置におけるシート回収部を拡大して示すもので、（イ）は巻取りロール軸を装着した状態を示す切断側面図、（ロ）は（イ）のＤ−Ｄ方向矢視図である。
【図１０】図１の便座装置における便座本体表面側の帯状シートの取り替えを自動的に行うための制御系の制御回路図である。
【図１１】図１の便座装置で用いる帯状シートにセンサ検出用マークとして設けた孔の詳細を示す平面図である。
【図１２】図１の便座装置のシート供給部のシート供給口に設けるセンサの詳細を示すもので、（イ）は側面図、（ロ）は平面図である。
【図１３】本発明の実施の他の形態として、シート送り方向変更装置の他の例を示すもので、（イ）は平面図、（ロ）は（イ）のＥ−Ｅ方向矢視図、（ハ）は（イ）のＦ−Ｆ方向矢視図である。
【図１４】本発明の実施の更に他の形態として、シート送り方向変更装置の更に他の例を示すもので、（イ）は平面図、（ロ）は（イ）のＧ−Ｇ方向矢視図、（ハ）は（イ）のＨ−Ｈ方向矢視図である。
【図１５】本発明の実施の更に他の形態として、シート送り方向変更装置の別の例を示すもので、（イ）は平面図、（ロ）は（イ）のＩ−Ｉ方向矢視図、（ハ）は（イ）のＪ−Ｊ方向矢視図である。
【図１６】便座の表面を衛生用のシートで覆うために従来提案されている便座用シート巻取器を示す概要図である。
【符号の説明】
【００９７】
８  便座装置
９  便座本体
１０，１１，１２，１３，１４，１５  便座ブロック
１７，１７ａ，１７ｂ，１７ｃ  シート送り方向変更装置
１８  帯状シート
２０  連結部材
２２  シート供給部
２３  シート回収部
２４  ガイドローラ
３６  駆動モータ
４８  便ふた
５１  蓋スイッチ
５２ａ  第１の孔（センサ検出用マーク）
５２ｂ  第２の孔（センサ検出用マーク）
５３  第１のセンサ（センサ）
５４  第２のセンサ（センサ）
６０  円錐状バー
６６  プレート部材
【図１】
2010000223.tif 000003
【図２】
2010000223.tif 000004
【図３】
2010000223.tif 000005
【図４】
2010000223.tif 000006
【図５】
2010000223.tif 000007
【図６】
2010000223.tif 000008
【図７】
2010000223.tif 000009
【図８】
2010000223.tif 000010
【図９】
2010000223.tif 000011
【図１０】
2010000223.tif 000012
【図１１】
2010000223.tif 000013
【図１２】
2010000223.tif 000014
【図１３】
2010000223.tif 000015
【図１４】
2010000223.tif 000016
【図１５】
2010000223.tif 000017
【図１６】
2010000223.tif 000018